(57)【要約】本発明は、人体には刺さり難いが、それ以外の対象、例えば、薬液を入れる容器の蓋などには容易に刺すことができる誤刺し防止針を提供することを目的とする。本発明の誤刺し防止針は、針穴１１の先端側開口部を形成するベベル１２を備えると共に、外周面に対して略直交する平坦面１３が先端に形成されていることを特徴とする。
2004045686.tif 000002
【特許請求の範囲】
【請求項１】
針穴の先端側開口部を形成するベベルを備えると共に、外周面に対して略直交する平坦面が先端に形成されていることを特徴とする誤刺し防止針。
【請求項２】
針穴が形成された細管の先端に外周面に対して略直交する平坦面が残存するようにベベルを形成する工程を含むことを特徴とする誤刺し防止針の製造方法。
【発明の詳細な説明】
【技術分野】  本発明は、医療用の針であって、手指等に誤って穿刺することを防止する針に関するものである。
【背景技術】  従来、医療用の針として、第７図乃至第１０図に示したものが知られている。第７図に示した針は、針穴１１の先端側開口部を形成するベベル（細管１０の先端部を斜めにカットすることにより形成される斜面）１２を有して構成される。第８図乃至第１０図に示した針は、第７図に示した針をベースとして、その針先をより鋭利なものとするための加工が施されたものであり、このうち第８図に示した針は、ベベル１２の先端側外周縁の両側を斜めにカットすることにより形成された２つの面１４ａ，１４ｂを有して構成される。また、第９図に示した針は、先端中心が頂点となるように先端部両側が斜めにカットされた２つの面１５ａ，１５ｂを有すると共に、該各面１５ａ，１５ｂを形成することにより先端の背面側に形成される微少な斜面１５ｃを有して構成される。また、第１０図に示した針は、ベベル１２の先端側を弧状に研削することにより形成された２つの面１６ａ，１６ｂを有して構成される。
医療用の針は、人体に穿刺した際に、穿刺部位周辺の細胞を極力傷付けないようにするため、上記のように針先が鋭く尖ったものとなるように加工されているのが通常であるが、鋭利な針先を備えるが故にオペレータ（針を取り扱う者）の手指等に誤って刺さってしまう事故が発生し易いものとなっている。
この誤刺し事故を防止するため、針先を覆うように注射器等に装着して用いられる誤刺し防止具が種々提案されている（例えば、下記特許文献１及び２参照）。
特許文献１：  特開２００１−２９３０８７号公報
特許文献２：  特開２００２−２１９１７１号公報
ところで、医療用の針の中には、人体以外の対象、例えば、薬液を入れる容器の蓋などに刺すために用いられるものが多く存在する。すなわち、通常の注射針の約７０％は人体に穿刺する道具として利用されているのではなく、薬液の吸引や注入等のために人体以外の対象に刺す道具として利用されているのである。
しかしながら、人体以外の対象に刺す針であっても、人体に穿刺する針が区別されることなくそのまま利用されているのが実情である。従って、人体以外の対象に刺す針であっても、人体に穿刺する針と同様に、誤刺し事故が発生し易い状態にあり、また人体向けのものと比較して利用機会も多いことから誤刺し事故が発生する可能性も大きいものとなっている。
本発明は、上記事情に鑑みなされたものであり、医療用の針として、人体には刺さり難いが、それ以外の対象、例えば、薬液を入れる容器の蓋などには容易に刺すことができる誤刺し防止針及びその製造方法を提供することを課題とする。
【発明の開示】
上記課題を解決するため、本発明は、針穴の先端側開口部を形成するベベルを備えると共に、外周面に対して略直交する平坦面が先端に形成されていることを特徴とする誤刺し防止針を提供する。
また、本発明は、針穴が形成された細管の先端に外周面に対して略直交する平坦面が残存するようにベベルを形成する工程を含むことを特徴とする誤刺し防止針の製造方法を提供する。
【図面の簡単な説明】  第１図は、本発明の一の実施の形態に係る誤刺し防止針の要部を示す図であり、（ａ）は平面図、（ｂ）は正面図、（ｃ）は右側面図である。
第２図は、上記実施形態に係る誤刺し防止針の製造方法の一例を説明するための図である。
第３図は、上記実施形態に係る誤刺し防止針の製造方法の一例を説明するための図である。
第４図は、本発明の他の実施の形態に係る誤刺し防止針の要部を示す図であり、（ａ）は平面図、（ｂ）は正面図、（ｃ）は右側面図である。
第５図は、本発明のさらに他の実施の形態に係る誤刺し防止針の要部を示す図であり、（ａ）は正面図、（ｂ）は右側面図である。
第６図は、本発明のさらに他の実施の形態に係る誤刺し防止針の要部を示す図であり、（ａ）は正面図、（ｂ）は右側面図である。
第７図は、従来の医療用針の要部を示す図であり、（ａ）は正面図、（ｂ）は右側面図である。
第８図は、従来の医療用針の要部を示す図であり、（ａ）は正面図、（ｂ）は右側面図である。
第９図は、従来の医療用針の要部を示す図であり、（ａ）は正面図、（ｂ）は右側面図、（ｃ）は（ｂ）のＡ部拡大図である。
第１０図は、従来の医療用針の要部を示す図であり、（ａ）は正面図、（ｂ）は右側面図である。
図において、符号１０は細管、１１は針穴、１２はベベル、１３は平坦面である。
【発明を実施するための最良の形態】  以下、本発明の実施の形態を図面に基づいて更に詳しく説明する。
第１図は、本発明の一の実施の形態に係る誤刺し防止針の要部を示す図であり、（ａ）は平面図、（ｂ）は正面図、（ｃ）は右側面図である。この図に示したように、本実施形態に係る誤刺し防止針は、針穴１１を形成する中空部を有する細管１０の先端部を斜めにカットすることにより形成されるベベル１２を有する。このベベル１２は、針穴１１の先端側開口部を形成している。また、この誤刺し防止針は、先端に細管１０の外周面に対して略直交する平坦面１３が形成されている。
従って、この誤刺し防止針によれば、上記平坦面１３を有することにより、手指等に針先を当てても、ある程度強い力で針先を押し込まない限り刺さることがないので、従来の針のように、針先が手指等に接触しただけで刺さることを防ぐことができる。また、このように人体に対しては刺さり難い一方、上記ベベル１２を有することにより、平坦面１３の面積を人体に刺さり難い程度に小さくして、ベベル１２の形成された部分は刺さり易く加工されているので、人体以外の対象、例えば、薬液を入れる容器の開口部を閉塞するゴム製の蓋などに対しては、容易に刺すことが可能である。
上記の誤刺し防止針を製造する方法としては、第２図に示したように、予めベベル１２を形成した後、先端の尖った部分を平坦にカットする方法を採用することもできるが、第３図に示したように、針穴１１が形成された細管１０の先端に外周面に対して略直交する平坦面１３が残存するようにベベル１２を形成する方法を採用することが好ましい。前者よりも後者の方が製造工程が少なく、簡便で安価に製造することができるからである。
なお、本発明の誤刺し防止針は、上記実施形態のものに限定されるものではなく、例えば、ベベル１２の先端側外周縁の両側を斜めにカットすることにより形成された２つの面１４ａ，１４ｂを有するもの（第４図参照）、先端の両側を斜めにカットすることにより形成された２つの面１５ａ，１５ｂを有するもの（第５図参照）、或いはベベル１２の先端側を弧状に研削することにより形成された２つの面１６ａ，１６ｂを有するもの（第６図参照）であっても良い。
【産業上の利用可能性】  以上説明したように、本発明によれば、医療用の針として、人体には刺さり難いが、それ以外の対象、例えば、薬液を入れる容器の蓋などには容易に刺すことができる誤刺し防止針を提供することが可能となる。
【図１】
2004045686.tif 000003
【図２】
2004045686.tif 000004
【図３】
2004045686.tif 000005
【図４】
2004045686.tif 000006
【図５】
2004045686.tif 000007
【図６】
2004045686.tif 000008
【図７】
2004045686.tif 000009
【図８】
2004045686.tif 000010
【図９】
2004045686.tif 000011
【図１０】
2004045686.tif 000012
【国際調査報告】
2004045686.tif 000013
2004045686.tif 000014